(57)【特許請求の範囲】
【請求項１】
画像原稿を所定の読取位置に載置し、前記画像原稿を停止させたまま該画像原稿の画像情報を読み取る第一の画像読取部と、画像原稿を読取開始位置まで搬送後、前記画像原稿を順次搬送しながら該画像原稿の画像情報を読み取る第二の画像読取部と、前記第一の画像読取部、及び、前記第二の画像読取部から受け入れる画像情報を受け入れ順にまとめて記憶する記憶部とを含む画像読取装置であって、
画像原稿載置後に連続読取を指示する操作部の操作により、前記第一の画像読取部の連続読取を実行する連続画像読取手段と、該連続画像読取手段による前記第一の画像読取部の連続読取実行中は、前記第二の画像読取部による画像情報の読取動作が優先し、
前記連続画像読取手段による前記第一の画像読取部の連続読取実行時に、前記第二の画像読取部から画像原稿が検出できない場合、前記第一の画像読取部におけるページ読取終了毎に、画像原稿の検知及びカバー開閉の検知により、前記第一の画像読取部から次の画像原稿の載置を検出出来ると、連続読取を継続し、前記第一の画像読取部から次の画像原稿の載置を検出出来ないと、該次の画像原稿の載置を求めて待機する連続画像載置要求手段と、
前記画像情報の読み出し指示する前記操作部の操作により、前記記憶部より前記画像情報の読み出しを行うデータ送出手段と、
を備える
ことを特徴とする画像読取装置。
【請求項２】
請求項１に記載の画像読取装置に於いて、 
前記連続画像読取手段による前記第一の画像読取部の連続読取実行時、前記第一の画像読取部におけるページ読取終了毎に、前記第二の画像読取部から画像原稿を検出出来ると、第一の画像読取部の連続読取を中断し、前記第二の画像読取部に挿入される全ての画像原稿の読み取りを実行する挿入画像読取手段を更に備えることを特徴とする画像読取装置。
【請求項３】
請求項１に記載の画像読取装置に於いて、
前記記憶部の空きメモリ容量を管理し、前記第一の画像読取部、又は前記第二の画像読取部による画像情報の読取中に、前記空きメモリ量が所定量を下まわると、前記画像情報の読取を一時中断し、前記記憶部に格納されている画像情報を所定の電子メール送信先、または外部印刷装置へ送出すると共に、画像情報の送出終了後、前記画像情報の読取を再開させるメモリフル回避手段を更に備えることを特徴とする画像読取装置。
【請求項４】
請求項１に記載の画像読取装置に於いて、
前記連続読取中に前記読取開始位置へ搬送される前記画像原稿のジャムの発生を監視し、該ジャムの発生を検出すると、該ジャムが発生したページで読み取った画像情報を廃棄し、該ジャムの解消後に、前記ページの最初から読み取りを開始させるジャム発生対処手段を更に備えることを特徴とする画像読取装置。
【発明の詳細な説明】
【技術分野】
【０００１】
本発明は、画像原稿を連続的に読み取ってメモリに記憶し、一括して送出する画像読取装置に関するものである。
【背景技術】
【０００２】
従来、シートから成る画像原稿を搬送し、所定の位置に自動的にセットして読み取るＡＤＦ（Ａｕｔｏ  Ｄｏｃｕｍｅｎｔ  Ｆｅｅｄｅｒ）読取部と、書籍等を読み取る場合のように１ページ毎に手置きによって所定の位置に画像原稿をセットして読み取るＦｌａｔｂｅｔ読取部とを備える画像読取装置では、ＡＤＦ読取部を用いる読取印刷処理と、Ｆｌａｔｂｅｔ読取部を用いる読取印刷処理とを、お互いに無関係な画像読取装置を用いて処理する如く、別々に処理していた。その結果、シートから成る画像原稿と書籍等からなる画像原稿とを組み合わせて出力画像を編集する場合には、一旦、ＡＤＦ読取部を用いる読取印刷処理と、Ｆｌａｔｂｅｔ読取部を用いる読取印刷処理とを、お互いに無関係に、それぞれ別々に実行した後に、操作者が、所望する組合せに両者の出力画像を編集しなければならないと言う不都合が発生した。
【０００３】
かかる不都合を解消するために、画像原稿の読み取り時に、Ｆｌａｔｂｅｔ読取部とＡＤＦ読取部とを、所望する組合せに応じた順番に読み取り稼働させ、その読取情報に基づく画像情報を所定の記憶部に読取順番に一括して格納させる技術が公開されている（例えば特許文献１参照）。
【０００４】
しかし、この技術では、画像原稿のページ読み取り終了毎に、操作者が、オペレーションパネルに表示される指示に従って、カーソルを移動させて所望する画像読取部を選択する必要があり、操作が煩雑であった。
【特許文献１】特開２００１−１９７２６０号公報
【発明の開示】
【発明が解決しようとする課題】
【０００５】
解決しようとする問題点は、所望する組合せに編集された出力画像を得るためには、画像原稿のページ読み取り終了毎に、操作者が、オペレーションパネルに表示される指示に従って、カーソルを移動させて所望する画像読取部を選択する必要があり、操作が煩雑になる点である。
【課題を解決するための手段】
【０００６】
画像原稿を所定の読取位置に載置し、その画像原稿を停止させたまま画像情報を読み取る第一の画像読取部と、画像原稿を読取開始位置まで搬送後、その画像原稿を順次搬送しながら画像情報を読み取る第二の画像読取部と、上記第一の画像読取部、及び、上記第二の画像読取部から受け入れる画像情報を受け入れ順にまとめて記憶する記憶部とを含む画像読取装置に於いて、画像原稿載置後に連続読取を指示する操作部の操作により、上記第一の画像読取部の連続読取を実行する連続画像読取手段と、該連続画像読取手段による上記第一の画像読取部の連続読取実行中は、上記第二の画像読取部による画像情報の読取動作が優先し、上記連続画像読取手段による上記第一の画像読取部の連続読取実行時に、上記第二の画像読取部から画像原稿が検出できない場合、上記第一の画像読取部におけるページ読取終了毎に、画像原稿の検知及びカバー開閉の検知により、上記第一の画像読取部から次の画像原稿の載置を検出出来ると、連続読取を継続し、上記第一の画像読取部から次の画像原稿の載置を検出出来ないと、該次の画像原稿の載置を求めて待機する連続画像載置要求手段と、上記画像情報の読み出し指示する上記操作部の操作により、上記記憶部より上記画像情報の読み出しを行うデータ送出手段と、を備えることを最も大きな特徴とする。
【発明の効果】
【０００７】
本発明では、シートから成る画像原稿と、書籍等からなる画像原稿とを組み合わせて出力画像を編集する場合には、連続画像読取手段を稼働させることによって、書籍等からなる画像原稿読取部における画像読取を連続して進行させ、その連続読取進行中に、挿入画像読取手段を稼働させ、所定の編集計画に基づいてシートから成る画像原稿読取部における画像読取処理を途中挿入することが可能になる。従って、画像原稿のページ読取終了毎に、操作者が、オペレーションパネルに表示される指示に従って、カーソルを移動させて何れか一方の読取部を選択する操作が必要なくなり、一つのボタンを押下する程度の操作で画像原稿の読取順番を任意に設定することが出来るという効果を得る。
【発明を実施するための最良の形態】
【０００８】
上記連続画像読取手段と、挿入画像読取手段とを、制御部（装置内ＣＰＵ）が、記憶部（装置内メモリ）に予め格納されている所定の制御プログラムを実行することによって稼働する制御手段によって構成した。
【実施例１】
【０００９】
本発明が目的としている、簡単な操作による出力画像の編集を達成するための第一歩として、本実施例では、簡単なボタン操作のみによって、書籍等からなる画像原稿のみを連続して読み取る画像読取装置を提供する。尚、シート状の画像原稿の読み取りについては後に続く実施例に於いて逐次追加することとする。
図１は、実施例１の画像読取装置のブロック構成図である。
図に示すように、実施例１の画像読取装置１００は、ＡＤＦ読取部１と、Ｆｌａｔｂｅｄ読取部２と、記憶部３と、オペレーションパネル４と、読取センサ５と、検出センサ６と、原稿サイズセンサ７と、データ送受信部８と、ネットワークＩ／Ｆ部９と、制御部１０と、バス１１とを備える。
【００１０】
ＡＤＦ読取部１は、例えば複数枚のシート状の画像原稿を操作者が挿入すると、制御部１０の制御に基づいて、画像原稿を一旦読取開始位置まで搬送する。その後、読み取りセンサを固定した状態で、画像原稿を順次搬送しながら該画像原稿の画像情報を読み取る部分である。この機構部分の詳細については、後に、概観図を用いて再度説明する。
【００１１】
Ｆｌａｔｂｅｄ読取部２は、書籍、例えば本（ｂｏｏｋ）等のページを開いた画像原稿を、操作者が所定の読取位置に載置すると、制御部１０の制御に基づいて、その画像原稿を停止させたままで読み取りセンサが移動して該画像原稿の画像情報を読み取る部分である。この機構部分の詳細については、後に、概観図を用いて再度説明する。
【００１２】
記憶部３は、制御部１０が実行して画像読取装置１００全体を制御するために必要な制御プログラムや制御データ等の他に、ＡＤＦ読取部１や、Ｆｌａｔｂｅｄ読取部２が取得した画像情報を、受け入れ順に１まとまりの画像情報として格納するメモリである。
【００１３】
オペレーションパネル４は、画像読取装置１００と操作者との間でマンマシンインタフェースの役目を果たし、操作者の制御要求を受け入れたり、操作者に画像読取装置１００の制御状態を表示する部分である。通常、ＬＣＤ（液晶表示装置）４−１や、データ入力ボタンや、制御ボタン等を含んでいる。
【００１４】
読取センサ５は、画像原稿から画像情報を取得する読取センサであり、画像原稿から反射光を受け入れるＬＥＤアレイ等からなり、本発明では、ＡＤＦ読取部１及びＦｌａｔｂｅｄ読取部２のそれぞれに別個に読取センサ５−１と読取センサ５−２とが配置される。後に、概観図を用いて再度説明する。
【００１５】
検出センサ６は、画像原稿の有無を検出し、画像原稿の位置を特定する各種位置センサである。後に、概観図を用いて再度説明する。
原稿サイズセンサ７は、Ｆｌａｔｂｅｄ読取部２に載置された画像原稿の大きさを検出するセンサであると共にカバーの開閉を検知するセンサである。後に、概観図を用いて再度説明する。
【００１６】
データ送受信部８は、制御部１０の制御に基づいて、画像読取装置１００から印刷装置１９へ、制御信号や、画像情報等を送出し、印刷装置１９から画像読取装置１００へ制御信号を受け入れる、画像読取装置１００と印刷装置１９とのインタフェースの役割を分担する部分である。
【００１７】
ネットワークＩ／Ｆ部９は、画像読取装置１００を所定のネットワークに接続するときに必要な画像読取装置１００とネットワークＩ／Ｆ部９とのインタフェース部分であり、通常、ハブやＮＩＣ（ネットワークインタフェースカード）等が用いられる。その内部には、画像読取装置１００からネットワークＩ／Ｆ部９へ送信するデータをネットワークプロトコルに適合するファイルを作成するファイル作成部９−１を有している。
【００１８】
制御部１０は、画像読取装置１００全体を制御するＣＰＵ（中央演算処理装置）であって、本具体例では、画像読取装置１００全体を制御する通常の制御手段に加えて、記憶部に格納されている所定のプログラムを実行することによって連続画像読取手段１０−１と、連続画像継続・解除手段１０−２とを構成する部分である。
【００１９】
ここで、連続画像読取手段１０−１は、操作者の意志表示（所定のボタン押下）を検出したときに稼働開始し、Ｆｌａｔｂｅｔ読取部２の連続読取を実行する手段で有る。連続画像継続・解除手段１０−２は、Ｆｌａｔｂｅｔ読取部２におけるページ読取終了毎に連続読取の継続確認を求め、Ｆｌａｔｂｅｔ読取部２から画像原稿を検出出来ると、連続読取の継続を可能とし、Ｆｌａｔｂｅｔ読取部２から画像原稿を検出出来ないと、連続読取を解除させる手段である。
バス１１は、各構成部分を電気的に接続する信号線である。
【００２０】
図２は、本発明の画像読取装置の概観図である。
この図は、上記図１を用いて説明した各構成部分の位置関係を主に示す図である。この図を用いて各機構部分の詳細について再度説明する。
【００２１】
図に示すように、画像読取装置１００と、印刷装置１９とは、データ送受信部８を介して接続される。又、画像読取装置１００と、ＰＣ（パーソナルコンピュータ）２１（ネットワークの一例）は、ネットワークＩ／Ｆ部９を介して接続されている。更に、ＡＤＦ読取部１は、Ｆｌａｔｂｅｔ読取部の側面に、図中矢印Ｂ方向に開閉可能に取り付けられている。
【００２２】
ＡＤＦ接続部１の機構部分の位置関係について説明する。
５−１は、読取センサであり、画像原稿２２の搬送路中に固定的に配置されている。６−１は、画像原稿２２が搬送路中に挿入されたことを検出する画像原稿検出センサである。６−２は、画像原稿２２の先端が読取開始位置に来たことを検出する画像原稿先端検出センサである。６−３は、画像原稿２２が排出されたことを検出する画像原稿排出検出するセンサである。１３は、画像原稿２２の先端を読取開始位置まで搬送するモータである。１４は、読取センサ５−１が画像読取中に画像原稿２２を順次搬送するモータである。
【００２３】
Ｆｌａｔｂｅｔ読取部２の機構部分の位置関係について説明する。
５−２は、読取センサであり、画像原稿２２を停止させたまま、図中矢印Ｂ方向に移動して画像を読み取る。４は、オペレーションパネルであり次に説明する機構部分が配置されている。４−１は、オペレーション遷移やエラー等のメッセージや、文字、数字、記号等を表示するＬＣＤ（液晶表示装置）である。４−２は、コピーボタンであり、このボタンが押下されると画像読取装置１００はコピーモードに移行する。ここでコピーモードとは、読み取った画像を印刷装置１９へ送出して再現画像を取得するモードである。
【００２４】
４−３は、Ｓｃａｎ  ｔｏ  Ｅ−Ｍａｉｌモードボタンであり、このボタンが押下されると画像読取装置１００はＳｃａｎ  ｔｏ  Ｅ−Ｍａｉｌモードに移行する。ここでＳｃａｎ  ｔｏ  Ｅ−Ｍａｉｌモードとは、読み取った画像を電子メールに添付して送信するモードである。４−４は、十字型ボタンであり、ＬＣＤ４−１に表示されるカーソルを遷移させるボタンである。４−５は、コピー／送信ボタンであり、Ｓｃａｎ  ｔｏ  Ｅ−Ｍａｉｌモードのときにこのボタンが押下されるとメモリ読み取りが開始される。又、Ｍａｎｕａｌ  Ｆｅｅｄモード（連続読取モード）のときには、記憶部３（図１）に格納されている画像情報が、読み取られた順番にまとめられてネットワークＩ／Ｆ部９（図１）へ送出される。又、コピーモードのときには、コピー制御が開始される。
【００２５】
４−６は、Ｓｔｏｐボタンであり、このボタンが押下されるとオペレーションが中断される。４−７は、Ｍａｎｕａｌ  Ｆｅｅｄボタンであり、このボタンが押下されると、連続読取モードに移行して、読み取りが開始される。４−８は、Ｔｅｎキーであり、文字や数字の入力に使用される。７は、原稿サイズセンサであり、画像原稿の大きさを検出するセンサであると共にカバーの開閉を検知するセンサである。
【００２６】
次に本実施例の動作について説明する。
図３は、実施例１の動作フローチャートである。
図のステップＳ１−１からステップＳ１−１６までステップ順に実施例１の画像読取装置の動作について説明する。一例として操作者が画像原稿をＥ−ｍａｉｌ送信する場合について説明する。
図４は、実施例１の動作中に於けるＬＣＤ表示説明図である。
この図は、図３のフローチャートの説明に於いて必要になるＬＣＤ４−１（図２）の表示画像をＰ１−１からＰ１−７まで表している図である。
【００２７】
ステップＳ１−１
操作者が、既に待機状態に成っている画像読取装置１００のＦｌａｔｂｅｔ読取部２（図２）に読み取りが求められている画像原稿（例えば本）をセットしてカバーを閉じると原稿サイズセンサ７（図２）が、カバーが閉じられたのを検知し、動作が開始される。尚、画像読取装置１００の待機状態では、表示画面Ｐ１−１が、ＬＣＤ４−１（図２）に表示されている。
【００２８】
ステップＳ１−２
操作者が、Ｆｌａｔｂｅｔ読取部２（図２）の連続読取を求めてＭａｎｕａｌ  Ｆｅｅｄボタン４−７（図２）を押下するとステップＳ１−３へ進んで、連続画像読取手段１０−１（図１）が稼働を開始し、押下しない場合にはステップＳ１−１４へ進んで通常動作が進行する。最初に、ステップＳ１−３へ進んだ場合について説明する。
【００２９】
ステップＳ１−３
制御部１０（図１）が、記憶部３（図１）に格納されている所定のプログラムの実行を開始し、連続画像読取手段１０−１（図１）が稼働し、ＬＣＤ４−１（図２）にＭａｎｕａｌ  Ｆｅｅｄボタン４−７（図２）が押下された旨の表示（表示画面Ｐ１−２）が成される。
【００３０】
ステップＳ１−４
制御部１０（図１）の制御に基づいて、読取センサ５−２（図２）は矢印Ｂ方向（図２）へ移動しながら画像原稿の読み取りを開始する。
【００３１】
ステップＳ１−５
取得された画像情報は、制御部１０（図１）の制御に基づいて、記憶部３（図１）に読取順に格納される。
ステップＳ１−６
読取センサ５−２（図２）は、画像原稿１ページの読み取りを終了する。このとき表示画面Ｐ１−３がＬＣＤ４−１（図２）に表示される。
【００３２】
ステップＳ１−７
読取センサ５−２（図２）が、画像原稿１ページの読み取りを完了すると、制御部１０（図１）が、記憶部３（図１）に格納されている所定のプログラムを実行し、連続画像継続・解除手段１０−２の稼働を開始する。連続画像継続・解除手段１０−２は、ＬＣＤ４−１（図２）に、次の画像原稿をセットしてＭａｎｕａｌ  Ｆｅｅｄボタン４−７（図２）の再押下を要求する旨の表示（表示画面Ｐ１−４）をする。
【００３３】
ステップＳ１−８
次の画像原稿がある場合にはステップＳ１−９へ進み、無い場合にはステップＳ１−１６へ進む。最初に、ステップＳ１−９へ進んだ場合について説明する。
ステップＳ１−９
操作者がカバーを開けて読み取りを終了した原稿画像を取り出して、次の原稿画像をセットする。
【００３４】
ステップＳ１−１０
操作者がカバーを閉じるのを原稿サイズセンサ７（図２）が検知すると、連続画像継続・解除手段１０−２は、操作者が再度Ｆｌａｔｂｅｔ読取部２（図２）の連続読取を求めてＭａｎｕａｌ  Ｆｅｅｄボタン４−７（図２）を押下するのを待って待機し、押下されるとステップＳ１−４へ戻って次ぎのページの読取を開始する。以下、Ｆｌａｔｂｅｔ読取部２（図２）で読取る原稿画像が無くなるまでステップＳ１−９、ステップＳ１−１０、ステップＳ１−４、ステップＳ１−５、ステップＳ１−６、ステップＳ１−７、ステップＳ１−８からなるループを繰り返し、Ｆｌａｔｂｅｔ読取部２（図２）で読取る原稿画像が無くなるとステップＳ１−８からステップＳ１−１１へ進む。
【００３５】
ステップＳ１−１１
読取る原稿画像が無くなったので、操作者が、画像原稿をＥ−ｍａｉｌ送信したい場合にはコピー／送信ボタン４−５（図２）を押下する。このとき表示画面Ｐ１−５がＬＣＤ４−１（図２）に表示される。
【００３６】
ステップＳ１−１２
制御部１０（図１）は、記憶部３（図１）に格納されている画像情報を格納順番に読み出して、ネットワークＩ／Ｆ部９（図１）を介してＥ−ｍａｉｌ送信する。このとき、画像情報は、ネットワークＩ／Ｆ部９（図１）に内蔵されているファイル作成部９−１（図１）によってプロトコルに従ったデータファイルに変換される。
【００３７】
ステップＳ１−１３
記憶部３（図１）に格納されている全ての画像情報のＥ−ｍａｉｌ送信が完了するとフローを終了する。このとき表示画面Ｐ１−６がＬＣＤ４−１（図２）に表示される。
次に、ステップＳ１−２からステップＳ１−１４へ進んだ場合について説明する。
ステップＳ１−１４
通常のコピー動作であり、操作者が画像原稿をＥ−ｍａｉｌ送信したい場合にはコピー／送信ボタン４−５（図２）を押下する。
【００３８】
ステップＳ１−１５
制御部１０（図１）の制御に基づいて、読取センサ５−２（図２）は矢印Ｂ方向（図２）へ移動しながら画像原稿の読取を開始する。
【００３９】
ステップＳ１−１６
取得された画像情報は、制御部１０（図１）の制御に基づいて、記憶部３（図１）に読取順に格納される。以下、ステップＳ１−１２、ステップＳ１−１３を経てフローを終了する。
【００４０】
以上説明したように、本実施例によって、Ｆｌａｔｂｅｄ読取部２を用いて、例えば本（ｂｏｏｋ）等のページを開いた画像原稿を複数枚読み取る場合に、ページ読取終了毎に、操作者が、オペレーションパネルに表示される指示に従って、カーソルを移動させて何れか一方の読取部を選択する、等の操作が必要なくなり、Ｍａｎｕａｌ  Ｆｅｅｄボタン４−７（図２）１個を続けて押下するだけで、連続的に読み取ることが出来るという効果を得る。
【実施例２】
【００４１】
本実施例では、簡単な操作のみによって書籍等からなる画像原稿の連続読取可能な画像読取装置（実施例１）に於いて、書籍等からなる画像原稿の連続読取中に、シート等から成る画像原稿を所定の読取位置に挿入し、書籍等からなる画像原稿とシート等から成る画像原稿とを所定の順番に編集して出力する画像読取装置を提供する。
【００４２】
図５は、実施例２の画像読取装置のブロック構成図である。
図に示すように、実施例２の画像読取装置２００は、ＡＤＦ読取部１と、Ｆｌａｔｂｅｄ読取部２と、記憶部３と、オペレーションパネル４と、読取センサ５と、検出センサ６と、原稿サイズセンサ７と、データ送受信部８と、ネットワークＩ／Ｆ部９と、制御部２０と、バス１１とを備える。以下に実施例１との相違部分のみについて説明する。実施例１と同一の部分には実施例１同一の符号が付されている。
【００４３】
制御部２０は、画像読取装置２００全体を制御するＣＰＵ（中央演算処理装置）であって、本具体例では、画像読取装置２００全体を制御する通常の制御手段に加えて、記憶部に格納されている所定のプログラムを実行することによって連続画像読取手段１０−１と、連続画像継続・解除手段１０−２と、挿入画像読取手段２０−１とを構成する部分である。
【００４４】
ここで、挿入画像読取手段２０−１は、上記Ｆｌａｔｂｅｔ読取部２におけるページ読取終了毎に上記連続画像読取手段１０−１の継続実行確認を求め、上記ＡＤＦ読取部１から画像原稿を検出出来ると、Ｆｌａｔｂｅｔ読取部２の連続読取を中断し、上記ＡＤＦ読取部１に挿入される全ての画像原稿の連続読取を実行する手段である。
その他の構成部分、及び、各構成部分の位置関係（図２）については、実施例１と同様なので説明を省略する。
【００４５】
次に本実施例の動作について説明する。
図６は、実施例１の動作フローチャートである。
図のステップＳ２−１からステップＳ２−２１までステップ順に実施例２の画像読取装置の動作について説明する。一例として操作者がＦｌａｔｂｅｔ読取部２で読み取る画像原稿とＡＤＦ読取部１で読み取る画像原稿とが混在する場合に、その合成した画像原稿をＥ−ｍａｉｌ送信する場合について説明する。
【００４６】
ステップＳ２−１
操作者が、既に待機状態に成っている画像読取装置２００のＦｌａｔｂｅｔ読取部２（図５）に読み取りが求められている画像原稿（例えば本）をセットしてカバーを閉じると原稿サイズセンサ７（図２）が、カバーが閉じられたのを検知し、動作が開始される。尚、画像読取装置２００の待機状態では、表示画面Ｐ１−１（図４）が、ＬＣＤ４−１（図２）に表示されている。
【００４７】
ステップＳ２−２
操作者が、Ｆｌａｔｂｅｔ読取部２（図５）の連続読取を求めてＭａｎｕａｌ  Ｆｅｅｄボタン４−７（図２）を押下するとステップＳ２−３へ進んで、連続画像読取手段１０−１（図５）が稼働を開始し、押下しない場合にはステップＳ２−１９へ進んで通常動作が進行する。最初に、ステップＳ２−３へ進んだ場合について説明する。
【００４８】
ステップＳ２−３
制御部２０（図５）が、記憶部３（図５）に格納されている所定のプログラムの実行を開始し、連続画像読取手段１０−１（図５）が稼働し、ＬＣＤ４−１（図２）にＭａｎｕａｌ  Ｆｅｅｄボタン４−７（図２）が押下された旨の表示（表示画面Ｐ１−２（図４））が成される。
【００４９】
ステップＳ２−４
画像原稿検出センサ６−１は、画像原稿がＡＦＤ読取部１（図５）に挿入されるのを（最初から挿入されている場合を含む）監視している。
【００５０】
ステップＳ２−５
画像原稿検出センサ６−１が、画像原稿がＡＦＤ読取部１（図５）に挿入されるのを検出すると、ステップＳ２−６へ進んで、挿入画像読取手段２０−１（図５）は、稼働を開始する。画像原稿がＡＦＤ読取部１（図５）に挿入されるまでは、ステップＳ２−９へ進んでＦｌａｔｂｅｔ読取部（図５）を用いる連続読取を継続する。
【００５１】
ステップＳ２−６
挿入画像読取手段２０−１（図５）は、ＡＦＤ読取部１（図５）に挿入された画像原稿を１ページづつ順次搬送しながら画像情報を取得する。
ステップＳ２−７
取得された画像情報は、制御部２０（図５）の制御に基づいて読取順に記憶部３（図５）に格納される。
【００５２】
ステップＳ２−８
画像原稿１ページ分の画像情報が取得されるとステップＳ２−６へ戻って次ページの画像情報が取得され、ＡＦＤ読取部１（図５）に挿入された全ての画像原稿から画像情報の取得が完了すると次のステップＳ２−１２へ進む。
【００５３】
上記ステップＳ２−５からステップＳ２−９へ進んだ場合について説明する。
ステップＳ２−９
制御部２０（図５）の制御に基づいて、読取センサ５−２（図２）は矢印Ｂ方向（図２）へ移動しながらＦｌａｔｂｅｔ読取部２（図５）の画像原稿の読み取りを開始する。
【００５４】
ステップＳ２−１０
取得された画像情報は、制御部２０（図５）の制御に基づいて、記憶部３（図５）に読取順に格納される。
ステップＳ２−１１
読取センサ５−２（図２）は、画像原稿１ページの読み取りを終了する。このとき表示画面Ｐ１−３（図４）がＬＣＤ４−１（図２）に表示される。
【００５５】
ステップＳ２−１２
制御部２０（図５）が、記憶部３（図５）に格納されている所定のプログラムを実行し、連続画像継続・解除手段１０−２（図５）の稼働を開始する。連続画像継続・解除手段１０−２は、ＬＣＤ４−１（図２）に、次の画像原稿をセットしてＭａｎｕａｌ  Ｆｅｅｄボタン４−７（図２）の再押下を要求する旨の表示（表示画面Ｐ１−４（図４））をする。
【００５６】
ステップＳ２−１３
Ｆｌａｔｂｅｔ読取部２（図５）を用いる次の画像原稿がある場合にはステップＳ２−１４へ進み、無い場合にはステップＳ２−１６へ進む。最初に、ステップＳ２−１４へ進んだ場合について説明する。
ステップＳ２−１４
操作者がカバーを開けて読取を終了した原稿画像を取り出して、次の原稿画像をセットする。
【００５７】
ステップＳ２−１５
操作者がカバーを閉じるのを原稿サイズセンサ７（図２）が検知すると、連続画像継続・解除手段１０−２（図５）は、操作者が再度Ｆｌａｔｂｅｔ読取部２（図２）の連続読取を求めてＭａｎｕａｌ  Ｆｅｅｄボタン４−７（図２）を押下するのを待って待機し、押下されるとステップＳ２−４へ戻る。以下、Ｆｌａｔｂｅｔ読取部２（図２）で読取る原稿画像が無くなるまで、ステップＳ２−５、ステップＳ２−９、ステップＳ２−１０、ステップＳ２−１１、ステップＳ２−１２、ステップＳ２−１３、ステップＳ２−１４、ステップＳ２−１５、ステップＳ２−４、ステップＳ２−５からなるループを繰り返し、Ｆｌａｔｂｅｔ読取部２（図２）で読み取る原稿画像が無くなるとステップＳ２−１３からステップＳ２−１６へ進む。但し、ループ繰り返しの途中で、画像原稿がＡＦＤ読取部１（図５）に挿入されるのを検出すると、ステップＳ２−５からステップＳ２−６へ進んで挿入画像読取手段２０−１（図５）が、稼働を開始し、挿入された画像原稿の全てを処理した後、上記ループへ再び戻る。
【００５８】
ステップＳ２−１６
読み取る原稿画像が無くなったので、操作者が、画像原稿をＥ−ｍａｉｌ送信したい場合にはコピー／送信ボタン４−５（図２）を押下する。このとき表示画面Ｐ１−５（図４）がＬＣＤ４−１（図２）に表示される。
【００５９】
ステップＳ２−１７
制御部２０（図５）は、記憶部３（図５）に格納されている画像情報を格納順番に読み出して、ネットワークＩ／Ｆ部９（図５）を介してＥ−ｍａｉｌ送信する。このとき、画像情報は、ネットワークＩ／Ｆ部９（図５）に内蔵されているファイル作成部９−１（図５）によってプロトコルに従ったデータファイルに変換される。
【００６０】
ステップＳ２−１８
記憶部３（図５）に格納されている全ての画像情報のＥ−ｍａｉｌ送信が完了するとフローを終了する。このとき表示画面Ｐ１−６（図５）がＬＣＤ４−１（図２）に表示される。
次に、ステップＳ２−２からステップＳ２−１９へ進んだ場合について説明する。
ステップＳ１−１９
通常のコピー動作であり、操作者が画像原稿をＥ−ｍａｉｌ送信したい場合にはコピー／送信ボタン４−５（図２）を押下する。
【００６１】
ステップＳ２−２０
制御部２０（図５）の制御に基づいて、読取センサ５−２（図２）は矢印Ｂ方向（図２）へ移動しながら画像原稿の読取を開始する。
ステップＳ２−２１
取得された画像情報は、制御部２０（図５）の制御に基づいて、記憶部３（図５）に読取順に格納される。以下、ステップＳ２−１７、ステップＳ２−１８を経てフローを終了する。
【００６２】
以上説明したように、本実施例では、連続画像読取手段１０−１（図５）を稼働させ、その途中で挿入画像読取手段２０−１（図５）を稼働させることによって、Ｆｌａｔｂｅｔ読取部（図５）で読み取るべき画像原稿と、ＡＤＦ読取部（図５）で読み取るべき画像原稿とが混在しても、操作者が、Ｍａｎｕａｌ  Ｆｅｅｄボタン４−７（図２）１個を続けて押下し、所定の混合順番に基づいてＡＤＦ読取部（図５）に原稿を挿入することによって、連続的に編集された状態の原稿出力を煩雑することなく得ることが出来るという効果を得る。
【実施例３】
【００６３】
本実施例では、書籍等からなる画像原稿とシート等から成る画像原稿とを所定の順番に編集して出力する画像読取装置（実施例２）において、操作者は、読取開始時に連続画像読取を設定するボタンを押下し、後は所望の順番に２種類の原稿画像を挿入又は載置するのみで、２種類の原稿画像を、所定の順番に編集して出力する画像読取装置を提供する。
【００６４】
図７は、実施例３の画像読取装置のブロック構成図である。
図に示すように、実施例３の画像読取装置３００は、ＡＤＦ読取部１と、Ｆｌａｔｂｅｄ読取部２と、記憶部３と、オペレーションパネル４と、読取センサ５と、検出センサ６と、原稿サイズセンサ７と、データ送受信部８と、ネットワークＩ／Ｆ部９と、制御部３０と、バス１１とを備える。以下に実施例１又は実施例２との相違部分のみについて説明する。実施例１又は実施例２と同一の部分には実施例１又は実施例２と同一の符号が付されている。
【００６５】
制御部３０は、画像読取装置２００全体を制御するＣＰＵ（中央演算処理装置）であって、本具体例では、画像読取装置３００全体を制御する通常の制御手段に加えて、記憶部に格納されている所定のプログラムを実行することによって連続画像読取手段１０−１と、挿入画像読取手段２０−１と、連続画像載置要求手段３０−１とを構成する部分である。尚、実施例１又は実施例２に含まれていた連続画像継続・解除手段１０−２（図１）が、連続画像載置要求手段３０−１で置き換えられていることに留意する必要がある。
【００６６】
ここで、連続画像載置要求手段３０−１は、Ｆｌａｔｂｅｔ読取部２におけるページ読取終了毎に、Ｆｌａｔｂｅｔ読取部２から画像原稿を検出出来ると、連続読取を継続し、Ｆｌａｔｂｅｔ読取部２から画像原稿を検出出来ないと、Ｆｌａｔｂｅｔ読取部２に原稿が載置されるまで待機する手段である。
その他の構成部分、及び、各構成部分の位置関係（図２）については、実施例１と同様なので説明を省略する。
【００６７】
次に本実施例の動作について説明する。
図８は、実施例３の動作フローチャートである。
図のステップＳ３−１からステップＳ３−２１までステップ順に実施例３の画像読取装置の動作について説明する。一例として操作者がＦｌａｔｂｅｔ読取部２で読み取る画像原稿とＡＤＦ読取部１で読み取る画像原稿とが混在する場合に、その合成した画像原稿をＥ−ｍａｉｌ送信する場合について説明する。
【００６８】
ステップＳ３−１
操作者が、既に待機状態に成っている画像読取装置３００のＦｌａｔｂｅｔ読取部２（図７）に読み取りが求められている画像原稿（例えば本）をセットしてカバーを閉じると原稿サイズセンサ７（図２）が、カバーが閉じられたのを検知し、動作が開始される。尚、画像読取装置３００の待機状態では、表示画面Ｐ１−１（図４）が、ＬＣＤ４−１（図２）に表示されている。
【００６９】
ステップＳ３−２
操作者が、Ｆｌａｔｂｅｔ読取部２（図７）の連続読取を求めてＭａｎｕａｌ  Ｆｅｅｄボタン４−７（図２）を押下するとステップＳ３−３へ進んで、連続画像読取手段１０−１（図７）が稼働を開始し、押下しない場合にはステップＳ３−１９へ進んで通常動作が進行する。最初に、ステップＳ３−３へ進んだ場合について説明する。
【００７０】
ステップＳ３−３
制御部３０（図７）が、記憶部３（図７）に格納されている所定のプログラムの実行を開始し、連続画像読取手段１０−１（図７）が稼働し、ＬＣＤ４−１（図２）にＭａｎｕａｌ  Ｆｅｅｄボタン４−７（図２）が押下された旨の表示（表示画面Ｐ１−２（図４））が成される。
【００７１】
ステップＳ３−４
画像原稿検出センサ６−１（図２）は、画像原稿がＡＦＤ読取部１（図７）に挿入されるのを（最初から挿入されている場合を含む）監視している。ここで画像原稿がＡＦＤ読取部１（図７）に挿入されることの監視は、画像原稿検出センサ６−１（図２）のＯＮ、ＯＦＦするのを検出することによって実行される。
【００７２】
ステップＳ３−５
画像原稿検出センサ６−１（図２）が、画像原稿がＡＦＤ読取部１（図７）に挿入されるのを検出すると、ステップＳ３−６へ進んで挿入画像読取手段２０−１（図７）が、稼働を開始し、画像原稿検出センサ６−１（図２）が、画像原稿がＡＦＤ読取部１（図７）に挿入されるのを検出するまでは、ステップＳ３−９へ進む。
【００７３】
ステップＳ３−６
挿入画像読取手段２０−１（図７）は、ＡＦＤ読取部１（図７）に挿入された画像原稿を１ページづつ順次搬送しながら画像情報を取得する。
ステップＳ３−７
取得された画像情報は、制御部３０（図７）の制御に基づいて読取順に記憶部３（図７）に格納される。
【００７４】
ステップＳ３−８
画像原稿１ページ分の画像情報が取得されるとステップＳ３−６へ戻って次ページの画像情報が取得され、ＡＦＤ読取部１（図７）に挿入された全ての画像原稿から画像情報の取得が完了すると次のステップＳ３−１４へ進む。
【００７５】
上記ステップＳ３−５からステップＳ３−９へ進んだ場合について説明する。
ステップＳ３−９
連続画像載置要求手段３０−１（図７）が稼働し、原稿サイズセンサ７（図２）を用いて、Ｆｌａｔｂｅｔ読取部２（図２）に画像原稿が載置されているかを検知する。
【００７６】
ステップＳ３−１０
連続画像載置要求手段３０−１（図７）は、Ｆｌａｔｂｅｔ読取部２（図２）に画像原稿が載置されていればステップＳ３−１１へ進み、載置されていなければ、ステップＳ３−４へ戻って、ステップＳ３−５、ステップＳ３−９、ステップＳ３−１０を繰り返して画像原稿が載置されるまで待機する。
【００７７】
ステップＳ３−１１
制御部３０（図７）の制御に基づいて、読取センサ５−２（図２）は矢印Ｂ方向（図２）へ移動しながらＦｌａｔｂｅｔ読取部２（図７）の画像原稿の読み取りを開始する。
【００７８】
ステップＳ３−１２
取得された画像情報は、制御部３０（図７）の制御に基づいて、記憶部３（図７）に読取順に格納される。
ステップＳ３−１３
読取センサ５−２（図２）は、画像原稿１ページの読み取りを終了する。このとき表示画面Ｐ１−３（図４）がＬＣＤ４−１（図２）に表示される。
【００７９】
ステップＳ３−１４
Ｆｌａｔｂｅｔ読取部２（図５）を用いる次の画像原稿がある場合にはステップＳ３−１５へ進み、無い場合にはステップＳ３−１６へ進む。最初に、ステップＳ３−１５へ進んだ場合について説明する。
【００８０】
ステップＳ３−１５
連続画像載置要求手段３０−１（図７）は、操作者がカバーを開けて読み取りを終了した原稿画像を取り出して、次の原稿画像をセットするのを待って待機する。次の原稿画像がセットされ、操作者がカバーを閉じるのを原稿サイズセンサ７（図２）が検知すると、ステップＳ３−４へ戻る。以下、Ｆｌａｔｂｅｔ読取部２（図２）で読取る原稿画像が無くなるまで、ステップＳ３−５、ステップＳ３−９、ステップＳ３−１０、ステップＳ３−１１、ステップＳ３−１２、ステップＳ３−１３、ステップＳ３−１４、ステップＳ３−１５、ステップＳ３−４、からなるループを繰り返し、Ｆｌａｔｂｅｔ読取部２（図７）で読取る原稿画像が無くなるとステップＳ３−１４からステップＳ３−１６へ進む。但し、ループ繰り返しの途中で、画像原稿がＡＦＤ読取部１（図７）に挿入されるのを検出すると、ステップＳ３−５からステップＳ３−６へ進んで挿入画像読取手段２０−１（図７）が、稼働を開始し、挿入された画像原稿の全てを処理した後、上記ループへ再び戻る。
【００８１】
ステップＳ３−１６
読取る原稿画像が無くなったので、操作者が、画像原稿をＥ−ｍａｉｌ送信したい場合にはコピー／送信ボタン４−５（図２）を押下する。このとき表示画面Ｐ１−５（図４）がＬＣＤ４−１（図２）に表示される。
【００８２】
ステップＳ３−１７
制御部３０（図７）は、記憶部３（図７）に格納されている画像情報を格納順番に読み出して、ネットワークＩ／Ｆ部９（図７）を介してＥ−ｍａｉｌ送信する。このとき、画像情報は、ネットワークＩ／Ｆ部９（図７）に内蔵されているファイル作成部９−１（図７）によってプロトコルに従ったデータファイルに変換される。
【００８３】
ステップＳ３−１８
記憶部３（図７）に格納されている全ての画像情報のＥ−ｍａｉｌ送信が完了するとフローを終了する。このとき表示画面Ｐ１−６（図７）がＬＣＤ４−１（図２）に表示される。
次に、ステップＳ３−２からステップＳ３−１９へ進んだ場合について説明する。
ステップＳ３−１９
通常のコピー動作であり、操作者が画像原稿をＥ−ｍａｉｌ送信したい場合にはコピー／送信ボタン４−５（図２）を押下する。
【００８４】
ステップＳ３−２０
制御部３０（図７）の制御に基づいて、読取センサ５−２（図２）は矢印Ｂ方向（図２）へ移動しながら画像原稿の読み取りを開始する。
ステップＳ３−２１
取得された画像情報は、制御部３０（図７）の制御に基づいて、記憶部３（図７）に読取順に格納される。以下、ステップＳ３−１７、ステップＳ３−１８を経てフローを終了する。
【００８５】
以上説明したように、本実施例では、連続画像読取手段１０−１（図７）を稼働させ、その途中で挿入画像読取手段２０−１（図７）と、連続画像載置要求手段３０−１（図７）とを稼働させることによって、Ｆｌａｔｂｅｔ読取部（図５）で読取るべき画像原稿とＡＤＦ読取部（図５）で読取るべき画像原稿とが混在しても、操作者が、Ｍａｎｕａｌ  Ｆｅｅｄボタン４−７（図２）１個を最初に押下し、その後は、所定の混合順番に基づいてＦｌａｔｂｅｔ読取部（図７）又はＡＤＦ読取部（図７）に原稿を挿入することのみによって、連続的に編集された原稿出力を煩雑することなく得ることが出来るという効果を得る。
【実施例４】
【００８６】
本実施例では、上記実施例１から実施例３までの画像読取装置に於いて、画像読取中にメモリがメモリフル状態になった場合に、それまでに格納した画像情報を一旦所定の宛先へ送出し、しかる後に再度画像読取開始可能な画像読取装置を提供する。
【００８７】
図９は、実施例４の画像読取装置のブロック構成図である。
図に示すように、実施例４の画像読取装置４００は、ＡＤＦ読取部１と、Ｆｌａｔｂｅｄ読取部２と、記憶部３と、オペレーションパネル４と、読取センサ５と、検出センサ６と、原稿サイズセンサ７と、データ送受信部８と、ネットワークＩ／Ｆ部９と、制御部４０と、バス１１とを備える。以下に実施例１との相違部分のみについて説明する。実施例１と同一の部分には実施例１と同一の符号が付されている。
【００８８】
制御部４０は、画像読取装置４００全体を制御するＣＰＵ（中央演算処理装置）であって、本具体例では、画像読取装置４００全体を制御する通常の制御手段に加えて、記憶部に格納されている所定のプログラムを実行することによって連続画像読取手段１０−１と、連続画像継続・解除手段１０−２と、メモリフル回避手段４０−１とを構成する部分である。
【００８９】
ここで、メモリフル回避手段４０−１は、記憶部３の空きメモリ容量を管理して、空きメモリ量が所定量以下になると、それまでに格納した画像情報を一旦所定の宛先へ送出させ、しかる後に再度画像読取を開始させる手段である。
その他の構成部分、及び、各構成部分の位置関係（図２）については、実施例１と同様なので説明を省略する。
【００９０】
次に本実施例の動作について説明する。
図１０は、実施例４の動作フローチャートである。
図のステップＳ４−１からステップＳ４−９までステップ順に実施例４の画像読取装置の動作について説明する。一例として操作者がＦｌａｔｂｅｔ読取部２によって読み取った画像原稿をＥ−ｍａｉｌ送信する場合について説明する。
図１１は、実施例４の動作中に於けるＬＣＤ表示説明図である。
この図は、図１０のフローチャートの説明に於いて必要になるＬＣＤ４−１（図２）の表示画像をＰ４−１からＰ４−５まで表している図である。
【００９１】
ステップＳ４−１
操作者が、既に待機状態に成っている画像読取装置４００のＦｌａｔｂｅｔ読取部２（図９）に読み取りが求められている画像原稿（例えば本）をセットしてカバーを閉じて、Ｍａｎｕａｌ  Ｆｅｅｄボタン４−７（図２）を押下すると、連続画像読取手段１０−１（図９）が稼働開始する。このときメモリフル回避手段４０−１（図９）も稼働を開始する。メモリフル回避手段４０−１（図９）は、記憶部３（図９）のメモリ容量の現状を表示画面Ｐ４−１（一例）として、ＬＣＤ４−１（図２）に表示する。
【００９２】
ステップＳ４−２
メモリフル回避手段４０−１は、記憶部３の空きメモリ容量を管理して、空きメモリ量が所定量以下になったことを検知する。
ステップＳ４−３
メモリフル回避手段４０−１は、連続画像読取手段１０−１の稼働を中断させてＦｌａｔｂｅｔ読取部２（図９）の連続画像読込を一時中断させる。
【００９３】
ステップＳ４−４
メモリフル回避手段４０−１は、表示画面Ｐ４−２を、３秒間ＬＣＤ４−１（図２）に表示する。
ステップＳ４−５
メモリフル回避手段４０−１は、続いてデータ送出する旨の表示画面Ｐ４−３をＬＣＤ４−１（図２）に表示する。
【００９４】
ステップＳ４−６
制御部４０（図９）は、記憶部３（図９）に格納されている画像情報を格納順番に読み出して、ネットワークＩ／Ｆ部９（図９）を介してＥ−ｍａｉｌ送信する。このとき、画像情報は、ネットワークＩ／Ｆ部９（図９）に内蔵されているファイル作成部９−１（図９）によってプロトコルに従ったデータファイルに変換される。以下にその内容について説明する。
【００９５】
図１２は、データファイルの説明図である。
（ａ）は、Ｅ−ｍａｉｌ受信側に於ける受信ボックス画面の一例であり、（ｂ）は、そのＳｃａｎｎｅｒ  Ｕｎｉｔ表示画面の一例である。
（ｂ）に示すように、送信されるデータは、Ｆｉｌｅ１とＦｉｌｅ２に分かれている。Ｆｉｌｅ１は、メモリフルの発生直前ページまでのデータであり、Ｆｉｌｅ２は、メモリフルが発生したページを含むメモリフル発生後のデータである。上記ステップＳ４−６で送信されるデータは、Ｆｉｌｅ１である。再度図１０に戻って、実施例４の動作説明を続ける。
【００９６】
ステップＳ４−７
Ｆｉｌｅ１の送信が完了する。このときメモリフル回避手段４０−１は、表示画面Ｐ４−４を１秒間ＬＣＤ４−１（図２）に表示する。
ステップＳ４−８
メモリフル回避手段４０−１は、連続画像読取手段の稼働を再開させ、Ｆｌａｔｂｅｔ読取部２（図９）の連続続画像読込を再開させる。このときメモリフル回避手段４０−１は、表示画面Ｐ４−５をＬＣＤ４−１（図２）に表示する。
ステップＳ４−８
Ｆｌａｔｂｅｔ読取部２（図９）の連続続画像読込を終了してフローを終わる。
その他の動作については、実施例１で説明した動作内容と同様なので説明を省略する。
【００９７】
以上説明したように、本実施例によって、画像原稿の読込中に記憶部３（図９）にメモリフルが発生しても連続読取を解除することなく処理を続行することが出来るという効果を得る。又、メモリフル前に読み取った画像データと、メモリフル発生後に読み取った画像データとを別々のファイルとして１つのメール中に添付したので受信者が分割されたファイルを整理し易く成るという効果を得る。
【実施例５】
【００９８】
本実施例では、上記実施例１から実施例３までの画像読取装置に於いて、画像読取中にジャムが発生した場合に、ジャムを解消し、しかる後に再度画像読取開始可能な画像読取装置を提供する。
【００９９】
図１３は、実施例５の画像読取装置のブロック構成図である。
図に示すように、実施例５の画像読取装置５００は、ＡＤＦ読取部１と、Ｆｌａｔｂｅｄ読取部２と、記憶部３と、オペレーションパネル４と、読取センサ５と、検出センサ６と、原稿サイズセンサ７と、データ送受信部８と、ネットワークＩ／Ｆ部９と、制御部５０と、バス１１とを備える。以下に実施例１との相違部分のみについて説明する。実施例１と同一の部分には実施例１と同一の符号が付されている。
【０１００】
制御部５０は、画像読取装置５００全体を制御するＣＰＵ（中央演算処理装置）であって、本具体例では、画像読取装置５００全体を制御する通常の制御手段に加えて、記憶部に格納されている所定のプログラムを実行することによって連続画像読取手段１０−１と、連続画像継続・解除手段１０−２と、ジャム発生対処手段５０−１とを構成する部分である。
【０１０１】
ここで、ジャム発生対処手段５０−１は、画像読取中にジャムを監視し、ジャムを検出した場合に、ジャム発生ページで読み取った画像データを廃棄し、ジャムを解消後に、再度ジャム発生ページの最初から読み取りを開始させる手段である。
その他の構成部分、及び、各構成部分の位置関係（図２）については、実施例１と同様なので説明を省略する。
【０１０２】
次に本実施例の動作について説明する。
図１４は、実施例５の動作フローチャートである。
図のステップＳ５−１からステップＳ５−１０までステップ順に実施例５の画像読取装置の動作について説明する。一例として操作者がＦｌａｔｂｅｔ読取部２によって読み取った画像原稿をＥ−ｍａｉｌ送信する場合について説明する。
図１５は、実施例５の動作中に於けるＬＣＤ表示説明図である。
この図は、図１４のフローチャートの説明に於いて必要になるＬＣＤ４−１（図２）の表示画像をＰ５−１からＰ５−４まで表している図である。
【０１０３】
ステップＳ５−１
操作者が、既に待機状態に成っている画像読取装置５００のＦｌａｔｂｅｔ読取部２（図１３）に読み取りが求められている画像原稿（例えば本）をセットしてカバーを閉じる。Ｍａｎｕａｌ  Ｆｅｅｄボタン４−７（図２）を押下すると、連続画像読取手段１０−１（図１３）が稼働開始する。このときジャム発生対処手段５０−１（図１３）も稼働を開始する。ジャム発生対処手段５０−１（図１３）、記憶部３（図９）のメモリ容量の現状を表示画面Ｐ４−１（一例）として、ＬＣＤ４−１（図２）に表示する。
【０１０４】
ステップＳ５−２
ジャム発生対処手段５０−１（図１３）は、ジャムの発生を監視しているが、ジャムの発生が無い限り、フローは、図３のステップＳ１−１２へ進んで、ステップＳ１−１３を経てフローを終了する。しかし、ジャム発生対処手段５０−１（図１３）が、ジャムの発生を検出するとステップＳ５−３へ進む。ここでジャムの監視は、画像原稿検出センサ６−１（図２）及び画像原稿先端検出センサ６−２（図２）を監視することによって実行される。
【０１０５】
ステップＳ５−３
ジャム発生対処手段５０−１（図１３）は、連続画像読取手段１０−１の稼働を中断させてＦｌａｔｂｅｔ読取部２（図９）の連続続画像読込を一時中断させる。
ステップＳ５−４
ジャム発生対処手段５０−１（図１３）は、表示画面Ｐ５−２を、ＬＣＤ４−１（図２）に表示する。
【０１０６】
ステップＳ５−５
ジャム発生対処手段５０−１（図１３）は、ジャム発生ページからの読取画像データを記憶部３（図１３）から廃棄する。
ステップＳ５−６
操作者が、ジャムを解消する。
【０１０７】
ステップＳ５−７
ジャム発生対処手段５０−１（図１３）は、ジャムの解消を検知し、表示画面Ｐ５−３を、ＬＣＤ４−１（図２）に表示する。
ステップＳ５−８
操作者が、ジャムが発生したページの原稿をＦｌａｔｂｅｔ読取部２（図９）に載置する。
【０１０８】
ステップＳ５−９
ジャム発生対処手段５０−１（図１３）は、ＬＣＤ４−１（図２）の表示を表示画面Ｐ５−１に戻す。
ステップＳ５−１０
ジャム発生対処手段５０−１（図１３）は、連続画像読取手段の稼働を再開させ、Ｆｌａｔｂｅｔ読取部２（図９）の連続画像読込を再開させる。このときジャム発生対処手段５０−１（図１３）は、表示画面Ｐ５−１をＬＣＤ４−１（図２）に表示している。
ステップＳ５−１１
Ｆｌａｔｂｅｔ読取部２（図１３）の連続続画像読込を終了してフローを終わる。
その他の動作については、実施例１で説明した動作内容と同様なので説明を省略する。
【０１０９】
以上説明したように、本実施例によって、画像原稿の読込中にジャムが発生した場合にも連続読取を解除することなく処理を続行することが出来るという効果を得る。
【実施例６】
【０１１０】
本実施例では、上記実施例１から実施例３までの画像読取装置に於いて、コピーモード中にプリンタエラーが発生した場合に、連続画像読込を続けながら、コピー動作のみ停止する画像読取装置を提供する。
【０１１１】
図１６は、実施例６の画像読取装置のブロック構成図である。
図に示すように、実施例６の画像読取装置６００は、ＡＤＦ読取部１と、Ｆｌａｔｂｅｄ読取部２と、記憶部３と、オペレーションパネル４と、読取センサ５と、検出センサ６と、原稿サイズセンサ７と、データ送受信部８と、ネットワークＩ／Ｆ部９と、制御部６０と、バス１１とを備える。以下に実施例１との相違部分のみについて説明する。実施例１と同一の部分には実施例１と同一の符号が付されている。
【０１１２】
制御部６０は、画像読取装置６００全体を制御するＣＰＵ（中央演算処理装置）であって、本具体例では、画像読取装置６００全体を制御する通常の制御手段に加えて、記憶部に格納されている所定のプログラムを実行することによって連続画像読取手段１０−１と、連続画像継続・解除手段１０−２と、プリンタエラー回避手段６０−１とを構成する部分である。
【０１１３】
ここで、プリンタエラー回避手段６０−１は、画像読取中にプリンタエラーを監視し、プリンタエラーを検出した場合に、コピーを停止し、コピー停止の間も連続画像読込を継続させ、読取画像データを記憶部３（図１６）に格納させる手段である。
その他の構成部分、及び、各構成部分の位置関係（図２）については、実施例１と同様なので説明を省略する。
【０１１４】
次に本実施例の動作について説明する。
図１７は、実施例６の動作フローチャートである。
図のステップＳ６−１からステップＳ６−１２までステップ順に実施例６の画像読取装置の動作について説明する。一例として操作者がＦｌａｔｂｅｔ読取部２によって読み取った画像原稿をＥ−ｍａｉｌ送信する場合について説明する。
図１８は、実施例６の動作中に於けるＬＣＤ表示説明図である。
この図は、図１７のフローチャートの説明に於いて必要になるＬＣＤ４−１（図２）の表示画像をＰ６−１からＰ６−４まで表している図である。
【０１１５】
ステップＳ６−１
操作者が、既に待機状態に成っている画像読取装置６００（図１６）のコピーモードボタン４−２（図２）及び、Ｍａｎｕａｌ  Ｆｅｅｄボタン４−７（図２）を押下する。その時点では、ＬＣＤ４−１（図２）に表示画面Ｐ６−１が表示されている。
【０１１６】
ステップＳ６−２
画像読取装置６００（図１６）は、連続画像読取手段１０−１（図１６）とプリンタエラー回避手段６０−１が稼働し、更にコピーモードへ移行する。プリンタエラー回避手段６０−１は、プリンタエラーの監視を開始し、ＬＣＤ４−１（図２）に表示画面Ｐ６−２を表示する。
【０１１７】
ステップＳ６−３
操作者がＡＤＦ読取部１（図１６）又はＦｌａｔｂｅｔ読取部２（図１６）に画像原稿を挿入又は載置すると、画像原稿検出センサ６−１（図２）又は原稿サイズセンサ７（図２）がＯＮに成る。
ステップＳ６−４
操作者が、コピー／送信ボタン４−５（図２）を押下する。
【０１１８】
ステップＳ６−５
ＡＤＦ読取部１（図１６）又はＦｌａｔｂｅｔ読取部２（図１６）は画像原稿の読取を開始し、コピーが開始される。そのときプリンタエラー回避手段６０−１は、ＬＣＤ４−１（図２）に表示画面Ｐ６−３を表示する。
【０１１９】
ステップＳ６−６
プリンタエラー回避手段６０−１（図１６）は、プリンタエラーの発生を監視しているが、プリンタエラーの発生が無い限り、フローは、図３のステップＳ１−１２へ進んで、ステップＳ１−１３を経てフローを終了する。しかし、プリンタエラー回避手段６０−１（図１６）が、プリンタエラーの発生を検出するとステップＳ６−７へ進む。ここでプリンタエラーの監視は、データ送受信部８（図１６）から読取画像情報の送出ができない旨の通知受信を待機することによってよって実行される。
【０１２０】
ステップＳ６−７
プリンタエラー回避手段６０−１（図１６）は、データ送受信部８（図１６）から読取画像情報の送出ができない旨の通知を受信しプリンタエラーの発生を検出する。
【０１２１】
ステップＳ６−８
このときプリンタエラー回避手段６０−１は、ＬＣＤ４−１（図２）に表示画面Ｐ６−４を表示している。
ステップＳ６−９
プリンタエラー回避手段６０−１（図１６）は、連続画像読込を継続させたまま、コピーモードを停止させ、読取画像情報を記憶部３（図１６）に格納するメモリ読取モードへ移行させる。このときプリンタエラー回避手段６０−１は、ＬＣＤ４−１（図２）に表示画面Ｐ６−５を表示する。
【０１２２】
ステップＳ６−１０
連続画像読取手段１０−１（図１６）は、原稿画像の読取を終了する。このときプリンタエラー回避手段６０−１は、ＬＣＤ４−１（図２）に表示画面Ｐ６−６を表示する。
ステップＳ６−１１
プリンタエラー回避手段６０−１は、ＬＣＤ４−１（図２）に表示画面Ｐ６−７を表示して読取画像情報が記憶部３（図１６）に格納されていることを知らせる。
【０１２３】
ステップＳ６−１２
プリンタエラーが解除され、操作者が、コピー／送信ボタン４−５（図２）を再度押下すると、記憶部３（図１６）に格納されている読取画像情報は、データ送受信部８（図１６）へ送出される。このときプリンタエラー回避手段６０−１は、ＬＣＤ４−１（図２）に表示画面Ｐ６−８を表示してフローを終了する。
【０１２４】
以上説明したように、本実施例によって、コピーモードで画像原稿の読込中にプリンタエラーが発生した場合にも連続読取を解除することなく処理を続行することが出来るという効果を得る。
【０１２５】
尚、上記全ての実施例の説明に於いて、本発明によって構成される制御手段の全てを、予め記憶部に格納されている所定のプログラムを制御部が実行することによって構成するものとして説明したが、本発明は、この例に限定されるものでは無い。即ち、本発明によって構成される制御手段の全て、又はその一部を専用の電子回路で構成しても良い。
【産業上の利用可能性】
【０１２６】
上記全ての実施例の説明は、予め記憶部に格納されている所定のプログラムをＣＰＵが実行するコンピュータ利用分野に適合するが、本発明は、この例に限定されるものでは無い。即ち、上記説明中における制御手段の全て、又は、その一部を専用の電子回路で構成する場合には、ハードウェアの分野にも利用可能である。
【図面の簡単な説明】
【０１２７】
【図１】実施例１の画像読取装置のブロック構成図である。
【図２】本発明の画像読取装置の概観図である。
【図３】実施例１の動作フローチャートである。
【図４】実施例１の動作中に於けるＬＣＤ表示説明図である。
【図５】実施例２の画像読取装置のブロック構成図である。
【図６】実施例２の動作フローチャートである。
【図７】実施例３の画像読取装置のブロック構成図である。
【図８】実施例３の動作フローチャートである。
【図９】実施例４の画像読取装置のブロック構成図である。
【図１０】実施例４の動作フローチャートである。
【図１１】実施例４の動作中に於けるＬＣＤ表示説明図である。
【図１２】データファイルの説明図である。
【図１３】実施例５の画像読取装置のブロック構成図である。
【図１４】実施例５の動作フローチャートである。
【図１５】実施例５の動作中に於けるＬＣＤ表示説明図である。
【図１６】実施例６の画像読取装置のブロック構成図である。
【図１７】実施例６の動作フローチャートである。
【図１８】実施例６の動作中に於けるＬＣＤ表示説明図である。
【符号の説明】
【０１２８】
１    ＡＤＦ読取部
２    Ｆｌａｔｂｅｔ読取部
３    記憶部
４    オペレーションパネル
４−１    ＬＣＤ
５    読取センサ
６    検出センサ
７    原稿サイズセンサ
８    データ送受信部
９    ネットワークＩ／Ｆ部
９−１    ファイル作成部
１０    制御部
１０−１    連続画像読取手段
１０−２    連続画像継続・解除手段
１９    印刷装置
１００    画像読取装置
【図１】
0004615385.tif 000002
【図２】
0004615385.tif 000003
【図３】
0004615385.tif 000004
【図４】
0004615385.tif 000005
【図５】
0004615385.tif 000006
【図６】
0004615385.tif 000007
【図７】
0004615385.tif 000008
【図８】
0004615385.tif 000009
【図９】
0004615385.tif 000010
【図１０】
0004615385.tif 000011
【図１１】
0004615385.tif 000012
【図１２】
0004615385.tif 000013
【図１３】
0004615385.tif 000014
【図１４】
0004615385.tif 000015
【図１５】
0004615385.tif 000016
【図１６】
0004615385.tif 000017
【図１７】
0004615385.tif 000018
【図１８】
0004615385.tif 000019